(57)【要約】【課題】電子媒体に記録された本編のデジタルコンテンツの再生を開始するまでにユーザが体感する待ち時間を短縮する。【解決手段】メディア再生装置１００は、メディア再生機能部２が再生した映像信号又は音声信号を出力装置５に出力する第１出力状態と、各種機能部３が生成した映像信号又は音声信号を出力装置５に出力する第２出力状態とを切り替えるシステム制御部４を備える。システム制御部４は、第２出力状態から第１出力状態への切り替えを要求されたとき、メディア再生機能部２が電子媒体１に記録された本編のデジタルコンテンツに対応する映像信号若しくは音声信号の再生を開始するまで又は開始可能になるまで第２出力状態を継続する。【選択図】図１
2017041289.tif 000002
【特許請求の範囲】
【請求項１】
電子媒体に記録されたデジタルコンテンツを読み出して、該デジタルコンテンツに対応する映像信号又は音声信号を再生する第１機能部と、
前記第１機能部と異なる機能を実行して、該機能に対応する映像信号又は音声信号を生成する第２機能部と、
前記第１機能部が再生した映像信号又は音声信号を出力装置に出力する第１出力状態と、前記第２機能部が生成した映像信号又は音声信号を前記出力装置に出力する第２出力状態とを切り替えるシステム制御部と、を備え、
前記システム制御部は、前記第２出力状態から前記第１出力状態への切り替えを要求されたとき、前記第１機能部が前記電子媒体に記録された本編の前記デジタルコンテンツに対応する映像信号若しくは音声信号の再生を開始するまで又は開始可能になるまで前記第２出力状態を継続する
ことを特徴とするメディア再生装置。
【請求項２】
前記第１機能部は、
前記デジタルコンテンツのフォーマットを判定するフォーマット判定部と、
前記フォーマット判定部が判定したフォーマットに応じて、前記電子媒体に記録された情報を用いて、前記本編の映像信号若しくは音声信号の再生を開始したこと又は開始可能になったことを検出する再生開始検出部と、
を備えることを特徴とする請求項１記載のメディア再生装置。
【請求項３】
前記再生開始検出部は、前記デジタルコンテンツのフォーマットがプレス版ディスクに映像を記録するフォーマットである場合、前記電子媒体に記録された各タイトルの種類を示すドメイン情報、及び、前記電子媒体に記録された各タイトルの再生時間を示すタイトル時間情報を用いて、前記本編の映像信号の再生を開始したこと又は開始可能になったことを検出することを特徴とする請求項２記載のメディア再生装置。
【請求項４】
前記再生開始検出部は、前記デジタルコンテンツのフォーマットがプレス版ディスクに映像を記録するフォーマットと異なる映像記録用のフォーマットである場合、前記デジタルコンテンツを符号化したコーデックの情報を用いて、前記本編の映像信号の再生を開始可能になったことを検出することを特徴とする請求項２記載のメディア再生装置。
【請求項５】
前記再生開始検出部は、前記デジタルコンテンツのフォーマットが音声記録用のフォーマットである場合、前記デジタルコンテンツを符号化したコーデックの情報を用いて、前記本編の音声信号の再生を開始可能になったことを検出することを特徴とする請求項２記載のメディア再生装置。
【請求項６】
前記第１機能部は、
前記電子媒体が光ディスクである場合、該光ディスクのリードエラーの発生を検出するリードエラー検出部と、
前記リードエラー検出部が前記第１出力状態におけるリードエラーの発生を検出したとき、予め記憶しているバッファデータを用いて前記デジタルコンテンツの映像信号又は音声信号の再生を継続できる状態であるか否かを判定する再生継続判定部と、を備え、
前記システム制御部は、前記再生継続判定部が映像信号又は音声信号の再生を継続できない状態であると判定した場合、前記第１出力状態から前記第２出力状態に切り替える
ことを特徴とする請求項１から請求項５のうちのいずれか１項記載のメディア再生装置。
【請求項７】
前記システム制御部は、前記第１出力状態から前記第２出力状態に切り替えた後、前記第２出力状態を継続することを特徴とする請求項６記載のメディア再生装置。
【請求項８】
前記再生継続判定部は、前記システム制御部が前記第１出力状態から前記第２出力状態に切り替えた後、前記バッファデータを用いて前記デジタルコンテンツの映像信号又は音声信号の再生を継続できる状態であるか否かを再度判定し、
前記システム制御部は、前記再生継続判定部が映像信号又は音声信号の再生を継続できる状態であると判定した場合、前記第２出力状態から前記第１出力状態に切り替える
ことを特徴とする請求項６記載のメディア再生装置。
【請求項９】
前記システム制御部が前記第１出力状態から前記第２出力状態に切り替えた後、
前記システム制御部が前記第２出力状態を継続する処理と、
前記再生継続判定部が前記バッファデータを用いて前記デジタルコンテンツの映像信号又は音声信号の再生を継続できる状態であるか否かを再度判定し、前記再生継続判定部が映像信号又は音声信号の再生を継続できる状態であると判定した場合に前記システム制御部が前記第２出力状態から前記第１出力状態に切り替える処理と、
のいずれを実行するかを選択的に設定自在であることを特徴とする請求項６記載のメディア再生装置。
【請求項１０】
前記第２機能部は、メディア再生装置本体を設けた車両の走行経路を検索して、該走行経路の案内に用いる映像信号及び音声信号を生成するナビゲーション機能部、ラジオ放送の放送波を受信して、該放送波から音声信号を生成するラジオ機能部、又は、デジタルテレビ放送の放送波を受信して、該放送波から映像信号及び音声信号を生成するテレビ機能部のうちの少なくとも１つを備えることを特徴とする請求項１から請求項９のうちのいずれか１項記載のメディア再生装置。
【発明の詳細な説明】
【技術分野】
【０００１】
本発明は、電子媒体に記録されたデジタルコンテンツを再生するメディア再生装置に関する。
【背景技術】
【０００２】
従来、デジタルコンテンツを記録する電子媒体に光ディスクが用いられている。例えば、映像及び音声を含むデジタルコンテンツ又は映像のみを含むデジタルコンテンツ（以下総称して「映像コンテンツ」という。）の記録にはブルーレイディスク（Ｂｌｕ−ｒａｙ  Ｄｉｓｃ，ＢＤ）（登録商標。以下記載を省略する。）及びデジタル多用途ディスク（Ｄｉｇｉｔａｌ  Ｖｅｒｓａｔｉｌｅ  Ｄｉｓｃ，ＤＶＤ）などが用いられており、音声のみを含むデジタルコンテンツ（以下「音声コンテンツ」という。）の記録にはコンパクトディスク（Ｃｏｍｐａｃｔ  Ｄｉｓｃ，ＣＤ）などが用いられている。また、これらの光ディスクに記録されたデジタルコンテンツを再生する装置も開発されている。
【０００３】
一般に、光ディスクの再生装置は、ディスクの読み込みのため、ディスクを挿入してからデジタルコンテンツの再生を開始するまでに時間がかかる。この時間はユーザにとって待ち時間となり、待ち時間が長いとユーザが不快感を覚える。
【０００４】
この問題に対し、特許文献１のディスクプレーヤ一体型テレビジョン受像機は、ＤＶＤまたはＣＤがディスクプレーヤに装着されてから、装着されたディスクの再生信号をテレビジョン受像機が受信するまでの間に、アンテナによって受信したテレビジョン放送の映像をＣＲＴに表示している。これにより、ユーザにディスクの情報が視聴可能になるまでの待ち時間を長く感じさせないようにしている。
【先行技術文献】
【特許文献】
【０００５】
【特許文献１】特開２００５−１２３４８号公報
【発明の概要】
【発明が解決しようとする課題】
【０００６】
ＢＤ及びＤＶＤなどの映像コンテンツ用の光ディスクは、ディスクの製造時に映像コンテンツなどの情報が予め記録されたもの（いわゆる「プレス版ディスク」）と、ディスクの販売後にユーザが映像コンテンツなどの情報を記録するもの（いわゆる「記録型ディスク」）とがある。
【０００７】
一般に、プレス版ディスクは、ユーザが視聴を望む蓋然性の高い主要な映像コンテンツ又は音声コンテンツ、いわゆる「本編」のデジタルコンテンツの他にも複数種類のデジタルコンテンツが記録されている。例えば、プレス版ディスクは、ディスクの読み込みが完了した後、まず、ユーザによる早送りなどの操作が禁止されたタイトル画面（いわゆる「ファーストプレイタイトル」）を再生し、次いで、ユーザによる選択操作を受け付けるメニュー画面（いわゆる「オーサリングメニュー」）を再生する。オーサリングメニューにおいて、ユーザが本編の再生開始を示すアイコンを選択すると、本編の映像コンテンツの再生が開始される。
【０００８】
ファーストプレイタイトルの再生時間は、ディスクの読み込み時間と同様に、ユーザにとって本編再生前の待ち時間となる。特許文献１のディスクプレーヤ一体型テレビジョン受像機のように、ディスクの再生信号に応じてテレビジョン放送の映像からＤＶＤの映像に切り替える方式では、ディスクの読み込み中にテレビジョン放送の映像を表示できるものの、ファーストプレイタイトルの再生が開始されるとＤＶＤの映像に切り替わって当該ファーストプレイタイトルが表示されるため、本編の再生開始までにユーザが体感する待ち時間を十分に短縮することができない課題があった。
【０００９】
また、特許文献１のディスクプレーヤ一体型テレビジョン受像機は、ＤＶＤ及びＣＤなどの光ディスクの再生には対応しているものの、磁気ディスク装置又は半導体メモリなどの光ディスク以外の電子媒体に記録されたデジタルコンテンツの再生については考慮されていない。このため、光ディスク以外の電子媒体に記録されたデジタルコンテンツを再生する場合、本編の再生開始までにユーザの体感する待ち時間を短縮することができない課題があった。
【００１０】
本発明は、上記のような課題を解決するためになされたものであり、電子媒体に記録された本編のデジタルコンテンツの再生を開始するまでにユーザが体感する待ち時間を短縮することを目的とする。
【課題を解決するための手段】
【００１１】
本発明のメディア再生装置は、電子媒体に記録されたデジタルコンテンツを読み出して、デジタルコンテンツに対応する映像信号又は音声信号を再生する第１機能部と、第１機能部と異なる機能を実行して、機能に対応する映像信号又は音声信号を生成する第２機能部と、第１機能部が再生した映像信号又は音声信号を出力装置に出力する第１出力状態と、第２機能部が生成した映像信号又は音声信号を出力装置に出力する第２出力状態とを切り替えるシステム制御部と、を備え、システム制御部は、第２出力状態から第１出力状態への切り替えを要求されたとき、第１機能部が電子媒体に記録された本編のデジタルコンテンツに対応する映像信号若しくは音声信号の再生を開始するまで又は開始可能になるまで第２出力状態を継続するものである。
【発明の効果】
【００１２】
本発明のメディア再生装置は、上記のように構成したので、電子媒体に記録された本編のデジタルコンテンツの再生を開始するまでにユーザが体感する待ち時間を短縮することができる。
【図面の簡単な説明】
【００１３】
【図１】本発明の実施の形態１に係るメディア再生装置の要部を示す機能ブロック図である。
【図２】本発明の実施の形態１に係るメディア再生装置の動作モードの設定画面を示す説明図である。
【図３】本発明の実施の形態１に係るメディア再生装置の要部を示すハードウェア構成図である。
【図４】本発明の実施の形態１に係るメディア再生装置の動作を示すフローチャートである。
【図５】本発明の実施の形態１に係るメディア再生装置の詳細な動作を示すフローチャートである。
【図６】本発明の実施の形態１に係るメディア再生装置の詳細な動作を示すフローチャートである。
【図７】本発明の実施の形態１に係るメディア再生装置の詳細な動作を示すフローチャートである。
【図８】本発明の実施の形態１に係るメディア再生装置の詳細な動作を示すフローチャートである。
【図９】本発明の実施の形態１に係るメディア再生装置が即時切替モードで表示させる画面を示す説明図である。
【図１０】本発明の実施の形態１に係るメディア再生装置が操作有効後切替モードで表示させる画面を示す説明図である。
【図１１】本発明の実施の形態２に係るメディア再生装置の要部を示す機能ブロック図である。
【図１２】本発明の実施の形態２に係るメディア再生装置の動作モードの設定画面を示す説明図である。
【図１３】本発明の実施の形態２に係るメディア再生装置の動作モードの設定画面を示す説明図である。
【図１４】本発明の実施の形態２に係る再生継続判定部の動作を示すフローチャートである。
【図１５】本発明の実施の形態２に係るメディア再生装置の動作を示すフローチャートである。
【図１６】本発明の実施の形態２に係るメディア再生装置の動作を示すフローチャートである。
【図１７】本発明の実施の形態２に係るメディア再生装置がエラー発生時継続モードで表示させる画面を示す説明図である。
【図１８】本発明の実施の形態２に係るメディア再生装置がエラー発生時切替モードで表示させる画面を示す説明図である。
【発明を実施するための形態】
【００１４】
実施の形態１．
図１は、メディア再生装置１００の要部を示す機能ブロック図である。図１を参照して、実施の形態１のメディア再生装置１００について説明する。
【００１５】
図中、１は電子媒体である。電子媒体１は、例えば、ＢＤ、ＤＶＤ若しくはＣＤなどの光ディスク、又は、ＨＤＤ（Ｈａｒｄ  Ｄｉｓｋ  Ｄｒｉｖｅ）、ＵＳＢ（Ｕｎｉｖｅｒｓａｌ  Ｓｅｒｉａｌ  Ｂｕｓ）フラッシュドライブ若しくはＳＤメモリーカードなどの光ディスク以外のリムーバブルメディアである。電子媒体１には、映像コンテンツ又は音声コンテンツを含む各種情報がデジタル信号として記録されている。
【００１６】
読出部２１は、電子媒体１に記録されたデジタル信号を読み出すものである。信号処理部２２は、読出部２１が読み出したデジタル信号を再生機能制御部２４に出力するものである。リードバッファ２３は、読出部２１が読み出したデジタル信号を、信号処理部２２が再生機能制御部２４に出力する前に一時的に記憶するものである。
【００１７】
再生機能制御部２４は、信号処理部２２が出力した信号のうち、映像コンテンツ又は音声コンテンツに対応する信号をＡＶ（Ａｕｄｉｏ／Ｖｉｓｕａｌ）デコーダ２５に出力するものである。ＡＶデコーダ２５は、再生機能制御部２４が出力した信号を復号して、映像信号、音声信号又は映像信号及び音声信号（以下総称して「第１ＡＶ信号」という。）を再生するものである。ＡＶデコーダ２５は、再生した第１ＡＶ信号をＡＶ出力部４１に出力するようになっている。
【００１８】
読出部２１、信号処理部２２、リードバッファ２３、再生機能制御部２４及びＡＶデコーダ２５により、メディア再生機能部２が構成されている。
【００１９】
ナビゲーション機能部３１は、メディア再生装置１００を搭載した図示しない車両の走行経路を検索し、検索した走行経路の案内に用いる映像信号及び音声信号を生成するものである。ナビゲーション機能部３１は、生成した映像信号及び音声信号をＡＶ出力部４１に出力するようになっている。
【００２０】
ラジオ機能部３２は、図示しないアンテナを用いてラジオ放送の放送波を受信し、受信した放送波から音声信号を生成するものである。ラジオ機能部３２は、生成した音声信号をＡＶ出力部４１に出力するようになっている。
【００２１】
テレビ機能部３３は、図示しないアンテナを用いてデジタルテレビ放送の放送波を受信し、受信した放送波から映像信号及び音声信号を生成するものである。テレビ機能部３３は、生成した映像信号及び音声信号をＡＶ出力部４１に出力するようになっている。
【００２２】
ナビゲーション機能部３１、ラジオ機能部３２及びテレビ機能部３３により、各種機能部３が構成されている。以下、ナビゲーション機能部３１が生成した映像信号及び音声信号、ラジオ機能部３２が生成した音声信号、並びに、テレビ機能部３３が生成した映像信号及び音声信号を総称して「第２ＡＶ信号」という。
【００２３】
ＡＶ出力部４１は、ＡＶデコーダ２５が再生した第１ＡＶ信号と、各種機能部３が生成した第２ＡＶ信号とを選択的に出力装置５に出力するものである。出力装置５は、ＡＶ出力部４１が出力した映像信号を映像として表示するとともに、ＡＶ出力部４１が出力した音声信号を音声として出力するものである。
【００２４】
入力装置６は、ユーザによる操作の入力を受け付けるものである。出力切替制御部４２は、入力装置６に入力された操作に応じて、ＡＶ出力部４１が第１ＡＶ信号を出力装置５に出力する状態（以下「第１出力状態」という。）と、ＡＶ出力部４１が第２ＡＶ信号を出力装置５に出力する状態（以下「第２出力状態」という。）とを切り替えるものである。また、出力切替制御部４２は、各種機能部３が、ナビゲーション機能部３１、ラジオ機能部３２及びテレビ機能部３３のうちのいずれの機能部で生成した第２ＡＶ信号をＡＶ出力部４１に出力するかを制御するものである。
【００２５】
ＡＶ出力部４１及び出力切替制御部４２により、システム制御部４が構成されている。メディア再生機能部２、各種機能部３及びシステム制御部４により、メディア再生装置１００が構成されている。
【００２６】
ここで、メディア再生装置１００は、第２出力状態から第１出力状態への切り替えを要求されたとき、出力切替制御部４２及び再生機能制御部２４が連携して、切り替えを実行するか否かを判定するようになっている。また、この判定処理により、切り替えを実行する場合の切替タイミングも制御されるようになっている。以下、当該判定処理に関する構成について説明する。
【００２７】
出力切替制御部４２は、第２出力状態から第１出力状態への切り替えを要求されたとき、第２出力状態から第１出力状態にすぐに切り替える動作モード（以下「即時切替モード」という。）と、ＡＶデコーダ２５が本編のデジタルコンテンツの再生を開始するまで又は開始可能になるまで第２出力状態を継続する動作モード（以下「操作有効後切替モード」という。）とを選択的に設定自在になっている。この設定は、例えばシステム制御部４が図２に例示する設定画面を出力装置５に表示させ、ユーザが入力装置６を用いていずれかの動作モードを選択する操作により行われる。
【００２８】
再生機能制御部２４は、メディア有無判定部２６を有している。メディア有無判定部２６は、信号処理部２２が出力した信号を用いて、電子媒体１が存在するか否かを判定するものである。具体的には、例えば、メディア有無判定部２６は、メディア再生装置１００の図示しないスロットに光ディスクが挿入されているか否かを判定する。または、メディア有無判定部２６は、メディア再生装置１００の図示しない入出力ポートにリムーバブルメディアが差し込み又は接続されているか否かを判定する。
【００２９】
また、再生機能制御部２４は、フォーマット判定部２７を有している。フォーマット判定部２７は、信号処理部２２が出力した信号を用いて、電子媒体１におけるデジタルコンテンツの記録形式、いわゆる「フォーマット」を判定するものである。
【００３０】
例えば、プレス版ディスクに映像コンテンツを記録するフォーマットには、ＢＤＭＶ（Ｂｌｕ−ｒａｙ  Ｄｉｓｋ  Ｍｏｖｉｅ）及びＤＶＤ−Ｖｉｄｅｏなどがある。記録型ディスクに映像コンテンツを記録するフォーマットには、ＢＤＡＶ（Ｂｌｕ−ｒａｙ  Ｄｉｓｃ  Ａｕｄｉｏ／Ｖｉｓｕａｌ）、ＤＶＤ−ＶＲ（ＤＶＤ  Ｖｉｄｅｏ  Ｒｅｃｏｒｄｉｎｇ  Ｆｏｒｍａｔ）及びＡＶＣＲＥＣ（登録商標。以下記載を省略する。）などがある。ＣＤに音声コンテンツを記録するフォーマットには、ＣＤＤＡ（Ｃｏｍｐａｃｔ  Ｄｉｓｃ  Ｄｉｇｉｔａｌ  Ａｕｄｉｏ）などがある。電子媒体１の種類を問わずに映像コンテンツを記録するフォーマットとして、ＭＰＥＧ（Ｍｏｖｉｎｇ  Ｐｉｃｔｕｒｅ  Ｅｘｐｅｒｔｓ  Ｇｒｏｕｐ）などの動画ファイル形式がある。電子媒体１の種類を問わずに音声コンテンツを記録するフォーマットとして、ＭＰ３（ＭＰＥＧ−１  Ａｕｄｉｏ  Ｌａｙｅｒ−３）などの音声ファイル形式がある。
【００３１】
以下、プレス版ディスクに映像コンテンツを記録するフォーマットを総称して「プレス版映像フォーマット」という。プレス版映像フォーマットと異なる映像コンテンツ記録用のフォーマットを総称して「記録型映像フォーマット」という。音声コンテンツ記録用のフォーマットを総称して「音声フォーマット」という。フォーマット判定部２７は、電子媒体１に記録されたデジタルコンテンツのフォーマットが、プレス版映像フォーマットであるか、記録型映像フォーマットであるか、音声フォーマットであるか、その他のフォーマットであるかを判定するようになっている。
【００３２】
さらに、再生機能制御部２４は、再生開始検出部２８を有している。再生開始検出部２８は、信号処理部２２が出力した信号を用いて、ＡＶデコーダ２５が電子媒体１に記録された本編のデジタルコンテンツの再生を開始したこと又は開始可能になったことを検出するものである。
【００３３】
例えば、プレス版ディスクにおいて、記録されている情報の論理的区分を「タイトル」という。プレス版ディスクのタイトルには、ファーストプレイタイトル、オーサリングメニューを示すタイトル（以下「メニュータイトル」という。）、及び、映像コンテンツを示すタイトル（以下「ムービータイトル」という。）などがある。ムービータイトルには、予告編の映像コンテンツに対応するムービータイトル、及び、本編の映像コンテンツに対応するムービータイトルなどがある。プレス版ディスクには、各々のタイトルの種類を示すドメイン情報と、各々のタイトルの再生時間を示すタイトル時間情報とが記録されている。
【００３４】
再生開始検出部２８は、フォーマット判定部２７で判定したフォーマットがプレス版映像フォーマットである場合、信号処理部２２が出力した信号から、電子媒体１に記録された各タイトルのドメイン情報及びタイトル時間情報を取得する。再生開始検出部２８は、取得したドメイン情報及びタイトル時間情報を用いて、ＡＶデコーダ２５が電子媒体１に記録された本編のデジタルコンテンツの再生を開始したこと又は開始可能になったことを検出する。
【００３５】
また、電子媒体１の種類を問わず、映像コンテンツ又は音声コンテンツを記録した電子媒体１には、当該映像コンテンツ又は音声コンテンツの符号化に用いたコーデックを示すコーデック情報が記録されている。
【００３６】
再生開始検出部２８は、フォーマット判定部２７で判定したフォーマットが記録型映像フォーマット又は音声フォーマットである場合、信号処理部２２が出力した信号からコーデック情報を取得する。再生開始検出部２８は、取得したコーデック情報を用いて、ＡＶデコーダ２５が電子媒体１に記録された本編のデジタルコンテンツの再生を開始可能になったことを検出する。
【００３７】
次に、図３を参照して、図１に示すメディア再生装置１００のハードウェア構成の一例について説明する。
図１に示す読出部２１は、光ピックアップ５１及びリムーバブルメディアインタフェース（以下「Ｉ／Ｆ」という。）５２により構成されている。光ピックアップ５１は、メディア再生装置１００のスロットに挿入された光ディスク５３にレーザ光を照射して、その反射光を受光するものである。リムーバブルメディアＩ／Ｆ５２は、例えば、リムーバブルメディア５４を挿し込み又は接続自在な入出力ポートである。
【００３８】
図１に示すリードバッファ２３は、メモリ５５により構成されている。メモリ５５は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）又はＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの半導体メモリである。
【００３９】
図１に示す信号処理部２２、再生機能制御部２４及びＡＶデコーダ２５の機能は、専用の処理回路５６により実現される。処理回路５６は、例えば、システムＬＳＩ（Ｌａｒｇｅ  Ｓｃａｌｅ  Ｉｎｔｅｇｒａｔｉｏｎ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）又はこれらを組み合わせたものである。信号処理部２２、再生機能制御部２４及びＡＶデコーダ２５の機能を１つの処理回路５６で実現しても良いし、複数の処理回路５６がそれぞれ実現しても良い。処理回路５６は、再生機能Ｉ／Ｆ５７を介してシステム制御部４と通信自在に接続されている。
【００４０】
図１に示すナビゲーション機能部３１の機能は、専用の処理回路５８により実現される。ラジオ機能部３２の機能は、専用の処理回路５９により実現される。テレビ機能部３３の機能は、専用の処理回路６０により実現される。処理回路５８〜６０の具体例は処理回路５６と同様であるため、説明を省略する。
【００４１】
図１に示すＡＶ出力部４１及び出力切替制御部４２の機能は、専用の処理回路６１により実現される。処理回路６１の具体例は処理回路５６，５８〜６０と同様であるため、説明を省略する。
【００４２】
図１に示す入力装置６は、例えば、リモートコントローラ（以下「リモコン」という。）６２により構成されている。メディア再生装置１００は、リモコン６２が送信した光又は電波を受信する操作入力Ｉ／Ｆ６３を有しており、この操作入力Ｉ／Ｆ６３がシステム制御部４と通信自在に接続されている。
【００４３】
図１に示す出力装置５は、ＦＰＤ（Ｆｌａｔ  Ｐａｎｅｌ  Ｄｉｓｐｌａｙ）などのディスプレイ６４及びスピーカ６５により構成されている。
【００４４】
次に、図４のフローチャートを参照して、第２出力状態から第１出力状態への切り替えを要求されたときのメディア再生装置１００の動作について、出力切替制御部４２及び再生機能制御部２４の動作を中心に説明する。
【００４５】
初期状態において、ＡＶ出力部４１は第２出力状態であり、テレビ機能部３３が生成した映像信号をディスプレイ６４に出力し、音声信号をスピーカ６５に出力している。ユーザが電子媒体１に記録されたデジタルコンテンツの再生を開始する操作を入力装置６に入力すると、ステップＳＴ１の処理が開始される。
【００４６】
ステップＳＴ１にて、出力切替制御部４２は、入力装置６から、第２出力状態から第１出力状態への切り替え要求を受け付ける。
【００４７】
ステップＳＴ２にて、出力切替制御部４２及び再生機能制御部２４が連携して、第２出力状態から第１出力状態への切り替えを実行するか否かを判定する。出力切替制御部４２及び再生機能制御部２４がステップＳＴ２の処理を実行している間、ＡＶ出力部４１は第２出力状態を継続する。ステップＳＴ２の判定処理により、切り替えを実行する場合の切替タイミングも制御される。ステップＳＴ２の詳細については、図５〜図８のフローチャートを参照して後述する。
【００４８】
切り替えを実行すると判定された場合（ステップＳＴ２“ＹＥＳ”）、ステップＳＴ３にて、出力切替制御部４２はＡＶ出力部４１を第２出力状態から第１出力状態に切り替える。
【００４９】
切り替えを実行しないと判定された場合（ステップＳＴ２“ＮＯ”）、ステップＳＴ４にて、出力切替制御部４２はＡＶ出力部４１を第２出力状態から第１出力状態に切り替えず、第２出力状態を継続する。ステップＳＴ５にて、ＡＶ出力部４１は、テレビ機能部３３の映像に加えて、デジタルコンテンツの再生を開始することができないことを示すテキストをディスプレイ６４に表示させる。
【００５０】
次に、図５のフローチャートを参照して、図４のステップＳＴ２に係る判定処理の詳細について説明する。
図４のステップＳＴ１に次いで、図５のステップＳＴ１１にて、出力切替制御部４２は動作モードの設定を確認する。即時切替モードに設定されている場合（ステップＳＴ１１“ＮＯ”）、ステップＳＴ１２にて、出力切替制御部４２は切り替えを実行すると判定する。これにより、出力切替制御部４２は図４のステップＳＴ３に進む。
【００５１】
操作有効後切替モードに設定されている場合（ステップＳＴ１１“ＹＥＳ”）、出力切替制御部４２は判定処理の開始をメディア有無判定部２６に通知する。この通知を受けて、ステップＳＴ１３にて、メディア有無判定部２６は電子媒体１が存在するか否かを判定する。
【００５２】
電子媒体１が存在しない場合（ステップＳＴ１３“ＮＯ”）、ステップＳＴ１４にて、メディア有無判定部２６は切り替えを実行しないと判定し、判定結果を出力切替制御部４２に通知する。これにより、出力切替制御部４２は図４のステップＳＴ４に進む。
【００５３】
電子媒体１が存在する場合（ステップＳＴ１３“ＹＥＳ”）、メディア有無判定部２６は判定処理の開始をフォーマット判定部２７に通知する。この通知を受けて、ステップＳＴ１５〜ＳＴ１７にて、フォーマット判定部２７は電子媒体１に記録されたデジタルコンテンツのフォーマットを判定する。
【００５４】
デジタルコンテンツのフォーマットがプレス版映像フォーマットである場合（ステップＳＴ１５“ＹＥＳ”）、フォーマット判定部２７はその旨を再生開始検出部２８に通知する。この通知を受けて、再生開始検出部２８は図６のフローチャートに示す処理を開始する。
【００５５】
デジタルコンテンツのフォーマットが記録型映像フォーマットである場合（ステップＳＴ１５“ＮＯ”かつステップＳＴ１６“ＹＥＳ”）、フォーマット判定部２７はその旨を再生開始検出部２８に通知する。この通知を受けて、再生開始検出部２８は図７のフローチャートに示す処理を開始する。
【００５６】
デジタルコンテンツのフォーマットが音声フォーマットである場合（ステップＳＴ１５“ＮＯ”かつステップＳＴ１６“ＮＯ”かつステップＳＴ１７“ＹＥＳ”）、フォーマット判定部２７はその旨を再生開始検出部２８に通知する。この通知を受けて、再生開始検出部２８は図８のフローチャートに示す処理を開始する。
【００５７】
デジタルコンテンツのフォーマットがその他のフォーマットである場合（ステップＳＴ１５〜ＳＴ１７がいずれも“ＮＯ”）、ステップＳＴ１４にて、フォーマット判定部２７は切り替えを実行しないと判定し、判定結果を出力切替制御部４２に通知する。これにより、出力切替制御部４２は図４のステップＳＴ４に進む。
【００５８】
次に、図６のフローチャートについて説明する。
フォーマット判定部２７からの通知を受けて（図５のステップＳＴ１５“ＹＥＳ”）、ステップＳＴ２１にて、再生開始検出部２８は、信号処理部２２が出力した信号から、ＡＶデコーダ２５が再生中のタイトルのドメイン情報を取得する。ステップＳＴ２２〜ＳＴ２３にて、再生開始検出部２８は、ステップＳＴ２１で取得したドメイン情報を用いて、ＡＶデコーダ２５が再生中のタイトルの種類を判定する。
【００５９】
再生中のタイトルがメニュータイトルである場合（ステップＳＴ２２“ＹＥＳ”）、ステップＳＴ２４にて、再生開始検出部２８は切り替えを実行すると判定し、判定結果を出力切替制御部４２に通知する。これにより、出力切替制御部４２は図４のステップＳＴ３に進む。
【００６０】
再生中のタイトルがムービータイトルである場合（ステップＳＴ２２“ＮＯ”かつステップＳＴ２３“ＹＥＳ”）、ステップＳＴ２５にて、再生開始検出部２８は、信号処理部２２が出力した信号から、電子媒体１に記録された各ムービータイトルのタイトル時間情報を取得する。ステップＳＴ２６にて、再生開始検出部２８は、ステップＳＴ２５で取得したタイトル時間情報を用いて、再生中のタイトルが電子媒体１に記録されたムービータイトルの中で再生時間が最も長いムービータイトルであるか否かを判定する。
【００６１】
再生中のタイトルが再生時間の最も長いムービータイトルである場合（ステップＳＴ２６“ＹＥＳ”）、ステップＳＴ２４にて、再生開始検出部２８は切り替えを実行すると判定し、判定結果を出力切替制御部４２に通知する。これにより、出力切替制御部４２は図４のステップＳＴ３に進む。
【００６２】
再生中のタイトルがメニュータイトルでもムービータイトルでもない場合（ステップＳＴ２２“ＮＯ”かつステップＳＴ２３“ＮＯ”）、再生開始検出部２８は所定時間後にステップＳＴ２１の処理を再度実行する。また、再生中のタイトルがムービータイトルであり、このムービータイトルが再生時間の最も長いムービータイトルでない場合（ステップＳＴ２６“ＮＯ”）、再生開始検出部２８は所定時間後にステップＳＴ２１の処理を再度実行する。
【００６３】
ＡＶデコーダ２５がメニュータイトルを再生中の状態、すなわちオーサリングメニューを再生している状態は、ユーザがメニューを選択することで本編の再生を開始可能な状態である。この状態において、再生開始検出部２８は、ステップＳＴ２２“ＹＥＳ”にて、ＡＶデコーダ２５が本編のデジタルコンテンツの再生を開始可能になったことを検出している。
【００６４】
また、電子媒体１に記録されたムービータイトルの中で再生時間が最も長いムービータイトルは、一般に本編のムービータイトルである。すなわち、再生開始検出部２８は、ステップＳＴ２６“ＹＥＳ”にて、ＡＶデコーダ２５が本編のデジタルコンテンツの再生を開始したことを検出している。
【００６５】
一方、電子媒体１に記録されたムービータイトルの中で再生時間が最も長いムービータイトル以外のムービータイトルは、予告編などの本編以外のムービータイトルである。また、メニュータイトルでもムービータイトルでもないタイトルはファーストプレイタイトルである。すなわち、図６の処理により、予告編の再生中（ステップＳＴ２６“ＮＯ”）及びファーストプレイタイトルの再生中（ステップＳＴ２３“ＮＯ”）は第２出力状態を継続し、その後、オーサリングメニューの再生を開始することで本編の再生を開始可能となったとき（ステップＳＴ２２“ＹＥＳ”）又は本編の再生を開始したとき（ステップＳＴ２６“ＹＥＳ”）に第１出力状態に切り替えることができる。
【００６６】
次に、図７のフローチャートについて説明する。
フォーマット判定部２７からの通知を受けて（図５のステップＳＴ１６“ＹＥＳ”）、ステップＳＴ３１にて、再生開始検出部２８は、信号処理部２２が出力した信号からコーデック情報を取得する。コーデック情報を取得することができた場合（ステップＳＴ３２“ＹＥＳ”）、ステップＳＴ３３にて、再生開始検出部２８は、コーデック情報の示すコーデックがＡＶデコーダ２５で復号可能なコーデックであるか否かを判定する。
【００６７】
ＡＶデコーダ２５で復号可能なコーデックである場合（ステップＳＴ３３“ＹＥＳ”）、ステップＳＴ３４にて、再生開始検出部２８は切り替えを実行すると判定し、判定結果を出力切替制御部４２に通知する。これにより、出力切替制御部４２は図４のステップＳＴ３に進む。
【００６８】
ＡＶデコーダ２５で復号できないコーデックである場合（ステップＳＴ３３“ＮＯ”）、ステップＳＴ３５にて、再生開始検出部２８は切り替えを実行しないと判定し、判定結果を出力切替制御部４２に通知する。これにより、出力切替制御部４２は図４のステップＳＴ４に進む。
【００６９】
コーデック情報を取得することができなかった場合（ステップＳＴ３２“ＮＯ”）、再生開始検出部２８は、ステップＳＴ３１でコーデック情報を取得する処理を最大でＮ回（Ｎは１以上の所定の整数）繰り返す。コーデック情報の取得処理をＮ回繰り返してもコーデック情報を取得できなかった場合（ステップＳＴ３６“ＹＥＳ”）、ステップＳＴ３５にて、再生開始検出部２８は切り替えを実行しないと判定し、判定結果を出力切替制御部４２に通知する。これにより、出力切替制御部４２は図４のステップＳＴ４に進む。
【００７０】
一般に、電子媒体１のフォーマットが記録型映像フォーマットである場合、プレス版映像フォーマットのようなファーストプレイタイトル、オーサリングメニュー及び予告編などは記録されておらず、本編の映像コンテンツのみが記録されている。すなわち、当該映像コンテンツのコーデックがＡＶデコーダ２５で復号可能なコーデックであると判定された状態（ステップＳＴ３３“ＹＥＳ”）は、ＡＶデコーダ２５が本編の映像コンテンツの再生を開始可能な状態である。図７の処理により、第２出力状態から第１出力状態への切り替えを要求されたとき、ＡＶデコーダ２５が本編の映像コンテンツの再生を開始可能になる（ステップＳＴ３３“ＹＥＳ”）まで第２出力状態を継続した後、第１出力状態に切り替えることができる。
【００７１】
次に、図８のフローチャートについて説明する。
フォーマット判定部２７からの通知を受けて（図５のステップＳＴ１７“ＹＥＳ”）、ステップＳＴ４１にて、再生開始検出部２８は、信号処理部２２が出力した信号からコーデック情報を取得する。以下、図８のステップＳＴ４２〜ＳＴ４６の処理は、図７のステップＳＴ３２〜３６の処理と同様であるため、説明を省略する。
【００７２】
一般に、電子媒体１のフォーマットが音声フォーマットである場合、プレス版映像フォーマットのようなファーストプレイタイトル、オーサリングメニュー及び予告編などは記録されておらず、本編の音声コンテンツのみが記録されている。すなわち、当該音声コンテンツのコーデックがＡＶデコーダ２５で復号可能なコーデックであると判定された状態（ステップＳＴ４３“ＹＥＳ”）は、本編の音声コンテンツの再生を開始可能な状態である。図８の処理により、第２出力状態から第１出力状態への切り替えを要求されたとき、ＡＶデコーダ２５が本編の音声コンテンツの再生を開始可能になる（ステップＳＴ４３“ＹＥＳ”）まで第２出力状態を継続した後、第１出力状態に切り替えることができる。
【００７３】
次に、図９及び図１０を参照して、メディア再生装置１００の効果について説明する。
図９は、出力切替制御部４２を即時切替モードに設定した場合に、ディスプレイ６４が表示する画面の一例を示している。図９（ａ）において、ＡＶ出力部４１は第２出力状態であり、ディスプレイ６４はテレビ機能部３３の映像を表示している。
【００７４】
図９（ａ）の状態において、ユーザがメディア再生装置１００のスロットにプレス版ディスクである例えばＢＤを挿入する。ユーザは、ＢＤに記録された映像コンテンツの再生を開始する操作をリモコン６２に入力する。出力切替制御部４２は、即時切替モードに設定されているため、ＡＶ出力部４１をすぐに第２出力状態から第１出力状態に切り替える。このとき、メディア再生機能部２はＢＤの読み込みを完了していないため、図９（ｂ）に示す如く、ディスプレイ６４は読み込み中の画面を表示する。
【００７５】
次いで、図９（ｃ）に示す如く、ＡＶデコーダ２５はファーストプレイタイトルの再生を開始する。ファーストプレイタイトルが終了すると、図９（ｄ）に示す如く、ＡＶデコーダ２５はオーサリングメニューの再生を開始する。オーサリングメニューにおいて、ユーザがリモコン６２を用いて本編の再生開始を示すアイコンを選択すると、図９（ｅ）に示す如く本編の再生が開始される。
【００７６】
図１０は、出力切替制御部４２を操作有効後切替モードに設定した場合に、ディスプレイ６４が表示する画面の一例を示している。図１０（ａ）において、ＡＶ出力部４１は第２出力状態であり、ディスプレイ６４はテレビ機能部３３の映像を表示している。
【００７７】
図１０（ａ）の状態において、ユーザがメディア再生装置１００のスロットにプレス版ディスクである例えばＢＤを挿入する。ユーザは、ＢＤに記録された映像コンテンツの再生を開始する操作をリモコン６２に入力する。出力切替制御部４２は、操作有効後切替モードに設定されているため、図６に示した処理によりＡＶデコーダ２５がオーサリングメニューの再生を開始するまで第２出力状態を継続する。この結果、図１０（ｄ）でＡＶデコーダ２５がオーサリングメニューの再生を開始するまで、図１０（ｂ），（ｃ）に示す如く、ディスプレイ６４はテレビ機能部３３の映像を表示し続ける。
【００７８】
図９（ｂ）に示す読み込み中の画面を表示する時間、及び、図９（ｃ）に示すファーストプレイタイトルを再生する時間は、何ら有用なコンテンツが表示されているものではなく、ユーザにとって本編再生前の単なる待ち時間となる。従来のメディア再生装置は、出力切替制御部４２が即時切替モードのみを有している状態といえ、操作有効後切替モードに設定することができないため、体感する待ち時間が長くユーザが不快感を覚える問題があった。
【００７９】
これに対し、実施の形態１のメディア再生装置１００は、出力切替制御部４２を操作有効後切替モードに設定することで、図１０（ｂ）及び図１０（ｃ）に示す如く、従来のメディア再生装置が読み込み中の画面を表示していた時間はもちろんのこと、ファーストプレイタイトルを再生していた時間も第２表示状態を継続して、テレビなどの各種機能部３による映像を表示し続けることができる。これにより、ユーザが体感する待ち時間を短縮して、ユーザの不快感を軽減することができる。
【００８０】
また、実施の形態１のメディア再生装置１００は、電子媒体１が光ディスク５３以外のリムーバブルメディア５４である場合も、図７又は図８に示した処理により、本編の映像コンテンツ又は音声コンテンツの再生を開始可能になるまで、テレビなどの各種機能部３による映像又は音声を出力し続けることができる。これにより、ユーザが体感する待ち時間を短縮して、ユーザの不快感を軽減することができる。
【００８１】
なお、各種機能部３が有する機能部は、ナビゲーション機能部３１、ラジオ機能部３２及びテレビ機能部３３に限定されるものではない。メディア再生機能部２と異なる機能を実行して、この機能に応じた映像信号又は音声信号をＡＶ出力部４１に出力するものであれば、如何なる機能部を設けたものであっても良い。また、メディア再生装置１００が車載用ではなく家庭用である場合、ナビゲーション機能部３１は不要である。
【００８２】
また、図３に示すハードウェア構成は一例である。図３では、メディア再生機能部２、ナビゲーション機能部３１、ラジオ機能部３２、テレビ機能部３３及びシステム制御部４がそれぞれ処理回路を有する例を示したが、これらの機能は如何なる個数の処理回路が如何なる配置及び接続状態により実現するものであっても良い。
【００８３】
また、図１及び図３では出力装置５がメディア再生装置１００と別体の構成を示したが、出力装置５をメディア再生装置１００と一体に構成したものでも良い。例えば、出力装置５は、メディア再生装置１００と一体のディスプレイ６４及びスピーカ６５により構成したものでも良い。
【００８４】
また、図１及び図３では入力装置６がメディア再生装置１００と別体の構成を示したが、入力装置６をメディア再生装置１００と一体に構成したものでも良い。例えば、入力装置６は、メディア再生装置１００に設けたハードウェアキー、又は、メディア再生装置１００と一体のディスプレイ６４に設けたタッチパネルであっても良い。
【００８５】
以上のように、実施の形態１のメディア再生装置１００は、電子媒体１に記録されたデジタルコンテンツを読み出して、デジタルコンテンツに対応する映像信号又は音声信号を再生するメディア再生機能部２（第１機能部）と、メディア再生機能部２（第１機能部）と異なる機能を実行して、機能に対応する映像信号又は音声信号を生成する各種機能部３（第２機能部）と、メディア再生機能部２（第１機能部）が再生した映像信号又は音声信号を出力装置５に出力する第１出力状態と、各種機能部３（第２機能部）が生成した映像信号又は音声信号を出力装置５に出力する第２出力状態とを切り替えるシステム制御部４と、を備える。システム制御部４は、第２出力状態から第１出力状態への切り替えを要求されたとき、メディア再生機能部２（第１機能部）が電子媒体１に記録された本編のデジタルコンテンツに対応する映像信号若しくは音声信号の再生を開始するまで又は開始可能になるまで第２出力状態を継続する。これにより、電子媒体１に記録された本編のデジタルコンテンツの再生を開始するまでにユーザが体感する待ち時間を短縮して、ユーザの不快感を軽減することができる。
【００８６】
また、メディア再生機能部２（第１機能部）は、デジタルコンテンツのフォーマットを判定するフォーマット判定部２７と、フォーマット判定部２７が判定したフォーマットに応じて、電子媒体１に記録された情報を用いて、本編の映像信号若しくは音声信号の再生を開始したこと又は開始可能になったことを検出する再生開始検出部２８と、を備える。これにより、電子媒体１の種類を問わず、本編の映像信号若しくは音声信号を再生を開始するまで又は開始可能になるまで第２出力状態を継続することができる。
【００８７】
また、再生開始検出部２８は、デジタルコンテンツのフォーマットがプレス版ディスクに映像を記録するフォーマットである場合、電子媒体１に記録された各タイトルの種類を示すドメイン情報、及び、電子媒体１に記録された各タイトルの再生時間を示すタイトル時間情報を用いて、本編の映像信号の再生を開始したこと又は開始可能になったことを検出する。図６に示す処理により、電子媒体１のフォーマットがプレス版映像フォーマットである場合に、本編の映像信号の再生を開始するまで又は開始可能になるまで第２出力状態を継続することができる。
【００８８】
また、再生開始検出部２８は、デジタルコンテンツのフォーマットがプレス版ディスクに映像を記録するフォーマットと異なる映像記録用のフォーマットである場合、デジタルコンテンツを符号化したコーデックの情報を用いて、本編の映像信号の再生を開始可能になったことを検出する。図７に示す処理により、電子媒体１のフォーマットが記録型映像フォーマットである場合に、本編の映像信号の再生を開始可能になるまで第２出力状態を継続することができる。
【００８９】
また、再生開始検出部２８は、デジタルコンテンツのフォーマットが音声記録用のフォーマットである場合、デジタルコンテンツを符号化したコーデックの情報を用いて、本編の音声信号の再生を開始可能になったことを検出する。図８に示す処理により、電子媒体１のフォーマットが音声フォーマットである場合に、本編の音声信号の再生を開始可能になるまで第２出力状態を継続することができる。
【００９０】
実施の形態２．
図１１を参照して、光ディスク５３のリードエラーに応じてＡＶ出力部４１の出力状態を切り替えるメディア再生装置１００について説明する。図１１において、図１に示す実施の形態１の機能ブロック図と同様のブロックには同一符号を付して説明を省略する。また、実施の形態２に係るメディア再生装置１００のハードウェア構成は実施の形態１と同様であるため、図３を援用して説明する。
【００９１】
再生機能制御部２４は、リードエラー検出部２９を有している。リードエラー検出部２９は、信号処理部２２が出力した信号を用いて、電子媒体１が光ディスク５３であるか否かを判定するものである。また、リードエラー検出部２９は、電子媒体１が光ディスク５３である場合、信号処理部２２が出力した信号を用いて、当該ディスクのリードエラーの発生を検出するものである。
【００９２】
再生機能制御部２４は、再生継続判定部３０を有している。再生継続判定部３０は、信号処理部２２が出力した信号と、リードバッファ２３が記憶している情報（以下「バッファデータ」という。）とを用いて、予め記憶されたバッファデータを用いてＡＶデコーダ２５が第１ＡＶ信号の再生を継続できる状態であるか否かを判定するものである。
【００９３】
出力切替制御部４２は、第１出力状態において光ディスク５３のリードエラーが発生したとき、再生継続判定部３０の判定結果に応じて第１出力状態から第２出力状態に切り替える動作モード（以下「エラー発生時切替モード」という。）と、第２出力状態に切り替えずに第１出力状態を継続する動作モード（以下「エラー発生時継続モード」という。）とを選択的に設定自在になっている。この設定は、図１２に例示する設定画面をディスプレイ６４等の出力装置５に表示させ、ユーザがリモコン６２等の入力装置６を用いていずれかの動作モードを選択する操作により行われる。
【００９４】
出力切替制御部４２は、エラー発生時切替モードにおいて第１出力状態から第２出力状態に切り替えた後、再生継続判定部３０の判定結果に応じて第２出力状態から第１出力状態に切り替える動作モード（以下「エラー復帰時切替モード」という。）と、第１出力状態に切り替えずに第２出力状態を継続する動作モード（以下「エラー復帰時継続モード」という。）とを選択的に設定自在になっている。この設定は、図１３に例示する設定画面をディスプレイ６４等の出力装置５に表示させ、ユーザがリモコン６２の入力装置６を用いていずれかの動作モードを選択する操作により行われる。
【００９５】
次に、図１４のフローチャートを参照して、再生継続判定部３０の動作について説明する。初期状態において、メディア再生装置１００のスロットには光ディスク５３が挿入されており、ＡＶデコーダ２５は第１ＡＶ信号を再生している。
【００９６】
ステップＳＴ５１にて、再生継続判定部３０は、信号処理部２２が出力した信号から、ＡＶデコーダ２５で再生中の信号のビットレートの種類を示すビットレート種類情報を取得する。ステップＳＴ５２にて、再生継続判定部３０は、信号処理部２２が出力した信号から、ＡＶデコーダ２５で再生中の信号のビットレートの値を示す現在ビットレート情報を取得する。ステップＳＴ５３にて、再生継続判定部３０は、リードバッファ２３からバッファデータを取得する。
【００９７】
ステップＳＴ５４にて、再生継続判定部３０は、ステップＳＴ５１で取得したビットレート種類情報を用いて、ビットレートの種類を判定する。ビットレートの種類が固定ビットレート（Ｃｏｎｓｔａｎｔ  Ｂｉｔｒａｔｅ，ＣＢＲ）である場合（ステップＳＴ５４“ＹＥＳ”）、ステップＳＴ５５にて、再生継続判定部３０は、ステップＳＴ５２で取得した現在ビットレート情報が示すビットレートの値と、ステップＳＴ５３で取得したバッファデータのデータ量の値とを用いて、ＡＶデコーダ２５が予め記憶されたバッファデータを用いて第１ＡＶ信号の再生を継続可能な時間（以下「再生継続可能時間」という。）を算出する。
【００９８】
ビットレートの種類が可変ビットレート（Ｖａｒｉａｂｌｅ  Ｂｉｔｒａｔｅ，ＶＢＲ）である場合（ステップＳＴ５４“ＮＯ”）、ステップＳＴ５６にて、再生継続判定部３０は、ステップＳＴ５２で現在ビットレート情報を取得する処理をＭ回（Ｍは２以上の所定の整数）繰り返したか否かを判定する。現在ビットレート情報を取得する処理の繰り返し回数がＭ回未満である場合（ステップＳＴ５６“ＮＯ”）、再生継続判定部３０はステップＳＴ５２の処理に戻る。
【００９９】
現在ビットレート情報を取得する処理の繰り返し回数がＭ回以上である場合（ステップＳＴ５６“ＹＥＳ”）、ステップＳＴ５７にて、再生継続判定部３０は、複数回取得した現在ビットレート情報のそれぞれが示すビットレートの値の移動平均を算出する。ステップＳＴ５８にて、再生継続判定部３０は、ステップＳＴ５７で算出した移動平均の値と、ステップＳＴ５３で取得したバッファデータのデータ量の値とを用いて、再生継続可能時間を算出する。
【０１００】
ステップＳＴ５９にて、再生継続判定部３０は、ステップＳＴ５５又はステップＳＴ５８で算出した再生継続可能時間の値を、予め設定された閾値と比較する。再生継続可能時間の値が閾値を超えている場合（ステップＳＴ５９“ＹＥＳ”）、ステップＳＴ６０にて、再生継続判定部３０はＡＶデコーダ２５がバッファデータを用いて第１ＡＶ信号の再生を継続できる状態であると判定する。再生継続可能時間の値が閾値以下である場合（ステップＳＴ５９“ＮＯ”）、ステップＳＴ６１にて、再生継続判定部３０はＡＶデコーダ２５がバッファデータを用いて第１ＡＶ信号の再生を継続できない状態であると判定する。
【０１０１】
例えば、ビットレート種類情報がＣＢＲを示しており、現在ビットレート情報が８メガビット毎秒（Ｍｂｐｓ）を示しており、バッファデータのデータ量が１０メガバイト（ＭＢ）であり、閾値が３秒に設定されているものとする。この場合、再生継続可能時間は１０秒であり、閾値を超えている。再生継続判定部３０は、ＡＶデコーダ２５がバッファデータを用いて第１ＡＶ信号の再生を継続できる状態であると判定する。
【０１０２】
次に、図１５のフローチャートを参照して、光ディスク５３のリードエラーが発生したときのメディア再生装置１００の動作について、出力切替制御部４２及び再生機能制御部２４の動作を中心に説明する。
【０１０３】
初期状態において、メディア再生装置１００のスロットには光ディスク５３が挿入されており、ＡＶデコーダ２５は第１ＡＶ信号を再生している。ＡＶ出力部４１は第１出力状態であり、第１ＡＶ信号を出力装置５に出力している。例えば、メディア再生装置１００を搭載した車両の走行により、メディア再生装置１００が振動して光ディスク５３のリードエラーが発生すると、ステップＳＴ７１の処理が開始される。
【０１０４】
ステップＳＴ７１にて、リードエラー検出部２９はリードエラーの発生を検出する。リードエラー検出部２９は、リードエラーが発生したことを再生継続判定部３０に通知する。この通知を受けて、ステップＳＴ７２にて、再生継続判定部３０は図１４のフローチャートに示す処理を実行し、ＡＶデコーダ２５がバッファデータを用いて第１ＡＶ信号の再生を継続できる状態であるか否かを判定する。
【０１０５】
例えば、ビットレート種類情報がＣＢＲを示しており、現在ビットレート情報が８Ｍｂｐｓを示しており、閾値が３秒に設定されている状態で、リードエラー検出部２９がリードエラーの発生を５回検出したものとする。１回目のリードエラーの際、バッファデータのデータ量は１０ＭＢであり、２回目のリードエラーの際、バッファデータのデータ量は８ＭＢであり、３回目のリードエラーの際、バッファデータのデータ量は１３ＭＢであり、４回目のリードエラーの際、バッファデータのデータ量は３ＭＢであり、第５回のリードエラーの際、バッファデータのデータ量は２ＭＢであった。この場合、１回目の判定処理において、再生継続可能時間は１０秒であり、２回目の判定処理において、再生継続可能時間は８秒であり、３回目の判定処理において、再生継続可能時間は１３秒であり、４回目の判定処理において、再生継続可能時間は３秒であり、５回目の判定処理において、再生継続可能時間は２秒である。したがって、再生継続判定部３０は、１回目〜４回目の判定処理では第１ＡＶ信号の再生を継続できる状態であると判定し、５回目の判定処理にて第１ＡＶ信号の再生を継続できない状態であると判定する。
【０１０６】
第１ＡＶ信号の再生を継続できる状態であると判定された場合（ステップＳＴ７２“ＹＥＳ”）、再生継続判定部３０は判定結果を出力切替制御部４２に通知せずに処理を終了する。ＡＶ出力部４１は第１出力状態を継続し、第１ＡＶ信号を出力装置５に出力し続ける。
【０１０７】
第１ＡＶ信号の再生を継続できない状態であると判定された場合（ステップＳＴ７２“ＮＯ”）、再生継続判定部３０は判定結果を出力切替制御部４２に通知する。この通知を受けて、ステップＳＴ７３にて、出力切替制御部４２はエラー発生時の動作モードの設定を確認する。
【０１０８】
エラー発生時継続モードに設定されている場合（ステップＳＴ７３“ＮＯ”）、出力切替制御部４２はＡＶ出力部４１を第１出力状態から第２出力状態に切り替えずに処理を終了する。ＡＶ出力部４１は第１出力状態を継続し、第１ＡＶ信号を出力装置５に出力し続ける。
【０１０９】
エラー発生時切替モードに設定されている場合（ステップＳＴ７３“ＹＥＳ”）、ステップＳＴ７４にて、出力切替制御部４２はＡＶ出力部４１を第１出力状態から第２出力状態に切り替える。ＡＶ出力部４１は、各種機能部３が生成した第２ＡＶ信号を出力装置５に出力し始める。このとき、各種機能部３の機能部の中に、図１５の初期状態となる直前に第２ＡＶ信号を生成してＡＶ出力部４１に出力していた機能部が存在する場合、出力切替制御部４２はこの機能部の第２ＡＶ信号を出力するように各種機能部３を制御する。
【０１１０】
次いで、ステップＳＴ７５にて、出力切替制御部４２はエラー復帰時の動作モードの設定を確認する。出力切替制御部４２がエラー復帰時継続モードに設定されている場合（ステップＳＴ７５“ＮＯ”）、出力切替制御部４２は処理を終了する。ＡＶ出力部４１は第２出力状態を継続し、第２ＡＶ信号を出力装置５に出力し続ける。
【０１１１】
出力切替制御部４２がエラー復帰時切替モードに設定されている場合（ステップＳＴ７５“ＹＥＳ”）、出力切替制御部４２は、図１６のフローチャートに示す処理の開始を再生継続判定部３０に通知する。この通知を受けて、再生継続判定部３０は図１６のフローチャートに示す処理を開始する。
【０１１２】
次に、図１６のフローチャートについて説明する。
出力切替制御部４２からの通知を受けて（図１５のステップＳＴ７５“ＹＥＳ”）、ステップＳＴ８１にて、再生継続判定部３０は図１４のフローチャートに示す処理を実行し、ＡＶデコーダ２５がバッファデータを用いて第１ＡＶ信号の再生を継続できる状態であるか否かを判定する。再生継続判定部３０は、第１ＡＶ信号の再生を継続できる状態であると判定されるまで図１４の処理を繰り返す（ステップＳＴ８１“ＮＯ”）。
【０１１３】
第１ＡＶ信号の再生を継続できる状態であると判定されると（ステップＳＴ８１“ＹＥＳ”）、再生継続判定部３０は判定結果を出力切替制御部４２に通知する。この通知を受けて、ステップＳＴ８２にて、出力切替制御部４２はＡＶ出力部４１を第２出力状態から第１出力状態に切り替える。ＡＶ出力部４１は、ＡＶデコーダ２５が再生した第１ＡＶ信号を出力装置５に出力し始める。
【０１１４】
なお、再生継続判定部３０は、図１５のステップＳＴ７２の判定処理と、図１６のステップＳＴ８１の判定処理とで、再生継続可能時間と比較する閾値を異なる値に設定したものでも良い。例えば、図１５のステップＳＴ７２では閾値を３秒に設定し、図１６のステップＳＴ８１では閾値を５秒に設定する。
【０１１５】
次に、図１７及び図１８を参照して、実施の形態２のメディア再生装置１００の効果について説明する。
図１７は、出力切替制御部４２をエラー発生時継続モードに設定している場合に、ディスプレイ６４が表示する画面の一例を示している。図１７（ａ）において、ＡＶ出力部４１は第１出力状態であり、ディスプレイ６４は光ディスク５３に記録された映像を表示している。
【０１１６】
第１出力状態において、例えばメディア再生装置１００を搭載した車両の走行によりメディア再生装置１００が振動すると、光ディスク５３のリードエラーが発生する。リードエラーが発生すると、図１７（ｂ）に示す如く、ディスプレイ６４が表示する映像にブロックノイズが発生する。また、読出部２１がデジタル信号を読み出すことができなくなり、リードバッファ２３のバッファデータがなくなると、ＡＶデコーダ２５で第１ＡＶ信号を再生することができなくなり、ディスプレイ６４の表示する映像が停止する。
【０１１７】
出力切替制御部４２がエラー発生時継続モードに設定されているため、図１７（ｂ）の状態においてＡＶ出力部４１は第１出力状態を継続する。その後、メディア再生装置１００の振動が停止してリードエラーから復帰すると、図１７（ｃ）に示す如く、ディスプレイ６４の表示する映像は正常な状態に戻る。
【０１１８】
図１８は、出力切替制御部４２をエラー発生時切替モードに設定している場合に、ディスプレイ６４が表示する画面の一例を示している。図１８（ａ）において、ＡＶ出力部４１は第１出力状態であり、ディスプレイ６４はＢＤ又はＤＶＤなどの光ディスク５３に記録された映像を表示している。
【０１１９】
出力切替制御部４２がエラー発生時継続モードに設定されているため、光ディスク５３のリードエラーが発生してＡＶデコーダ２５で第１ＡＶ信号を再生することができなくなると、ＡＶ出力部４１が第１出力状態から第２出力状態に切り替わる。例えば、図１８（ａ）に示す状態の直前にＡＶ出力部４１がテレビ機能部３３の映像信号をディスプレイ６４に出力していた場合、図１８（ｂ）に示す如く、ディスプレイ６４の画面はテレビ機能部３３の映像に切り替わる。
【０１２０】
出力切替制御部４２がエラー復帰時継続モードに設定されている場合、ＡＶ出力部４１はリードエラーから復帰した後も第２出力状態を継続する。図１８（ｃ）に示す如く、ディスプレイ６４はテレビ機能部３３の映像を表示し続ける。
【０１２１】
出力切替制御部４２がエラー復帰時切替モードに設定されている場合、リードエラーから復帰してＡＶデコーダ２５で第１ＡＶ信号の再生を継続できる状態になると、ＡＶ出力部４１は第２出力状態から第１出力状態に切り替わる。図１８（ｄ）に示す如く、ディスプレイ６４は光ディスク５３に記録された映像の表示を再開する。このとき、リードエラーから復帰しているため、ディスプレイ６４の画面はブロックノイズなどがない正常な状態である。
【０１２２】
従来のメディア再生装置は、出力切替制御部４２がエラー発生時継続モードのみを有している状態といえ、エラー発生時切替モードに設定することができない。このため、リードエラーが発生したとき、図１７（ｂ）に示す如くブロックノイズが発生したり、映像の再生が停止したりして、ユーザが不快感を覚える問題があった。
【０１２３】
これに対し、実施の形態２のメディア再生装置１００は、出力切替制御部４２をエラー発生時切替モードに設定することで、図１８（ｂ）に示す如く、リードエラー発生時にテレビなどの各種機能部３による映像に切り替えることができる。これにより、ディスプレイ６４の画面を正常な映像に保つことで、ユーザの不快感を軽減することができる。
【０１２４】
なお、光ディスク５３がＣＤであり、スピーカ６５が音声を出力する場合も、図１７及び図１８に示したディスプレイ６４が映像を表示する場合と同様であるため、説明を省略する。
【０１２５】
以上のように、実施の形態２のメディア再生装置１００は、メディア再生機能部２（第１機能部）が、電子媒体１が光ディスク５３である場合、光ディスク５３のリードエラーの発生を検出するリードエラー検出部２９と、リードエラー検出部２９が第１出力状態におけるリードエラーの発生を検出したとき、予め記憶しているバッファデータを用いてデジタルコンテンツの映像信号又は音声信号の再生を継続できる状態であるか否かを判定する再生継続判定部３０と、を備える。システム制御部４は、再生継続判定部３０が映像信号又は音声信号の再生を継続できない状態であると判定した場合、第１出力状態から第２出力状態に切り替える。出力切替制御部４２をエラー発生時切替モードに設定することで、図１８（ｂ）に示す如く、リードエラーにより光ディスク５３の再生を継続できなくなったときに、各種機能部３の映像又は音声に切り替えることができる。
【０１２６】
また、システム制御部４は、第１出力状態から第２出力状態に切り替えた後、第２出力状態を継続する。出力切替制御部４２をエラー復帰時継続モードに設定することで、図１８（ｃ）に示す如く、リードエラーから復帰した後も各種機能部３の映像又は音声の出力を継続することができる。
【０１２７】
または、再生継続判定部３０は、システム制御部４が第１出力状態から第２出力状態に切り替えた後、バッファデータを用いてデジタルコンテンツの映像信号又は音声信号の再生を継続できる状態であるか否かを再度判定する。システム制御部４は、再生継続判定部３０が映像信号又は音声信号の再生を継続できる状態であると判定した場合、第２出力状態から第１出力状態に切り替える。出力切替制御部４２をエラー復帰時切替モードに設定することで、図１８（ｄ）に示す如く、リードエラーから復帰したとき、光ディスク５３に記録された映像又は音声の出力を再開することができる。
【０１２８】
または、メディア再生装置１００は、システム制御部４が第１出力状態から第２出力状態に切り替えた後、システム制御部４が第２出力状態を継続する処理と、再生継続判定部３０がバッファデータを用いてデジタルコンテンツの映像信号又は音声信号の再生を継続できる状態であるか否かを再度判定し、再生継続判定部３０が映像信号又は音声信号の再生を継続できる状態であると判定した場合にシステム制御部４が第２出力状態から第１出力状態に切り替える処理と、のいずれを実行するかを選択的に設定自在である。これにより、ユーザが入力装置６を用いて、エラー復帰時継続モードとエラー復帰時切替モードとを自由に設定することができる。
【０１２９】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【０１３０】
１  電子媒体、２  メディア再生機能部、３  各種機能部、４  システム制御部、５  出力装置、６  入力装置、２１  読出部、２２  信号処理部、２３  リードバッファ、２４  再生機能制御部、２５  ＡＶデコーダ、２６  メディア有無判定部、２７  フォーマット判定部、２８  再生開始検出部、２９  リードエラー検出部、３０  再生継続判定部、３１  ナビゲーション機能部、３２  ラジオ機能部、３３  テレビ機能部、４１  ＡＶ出力部、４２  出力切替制御部、５１  光ピックアップ、５２  リムーバブルメディアＩ／Ｆ、５３  光ディスク、５４  リムーバブルメディア、５５  メモリ、５６  処理回路、５７  再生機能Ｉ／Ｆ、５８  処理回路、５９  処理回路、６０  処理回路、６１  処理回路、６２  リモコン、６３  操作入力Ｉ／Ｆ、６４  ディスプレイ、６５  スピーカ、１００  メディア再生装置。
【図１】
2017041289.tif 000003
【図２】
2017041289.tif 000004
【図３】
2017041289.tif 000005
【図４】
2017041289.tif 000006
【図５】
2017041289.tif 000007
【図６】
2017041289.tif 000008
【図７】
2017041289.tif 000009
【図８】
2017041289.tif 000010
【図９】
2017041289.tif 000011
【図１０】
2017041289.tif 000012
【図１１】
2017041289.tif 000013
【図１２】
2017041289.tif 000014
【図１３】
2017041289.tif 000015
【図１４】
2017041289.tif 000016
【図１５】
2017041289.tif 000017
【図１６】
2017041289.tif 000018
【図１７】
2017041289.tif 000019
【図１８】
2017041289.tif 000020